(57)【要約】      （修正有）【課題】本文を見ながら口絵を参照することができる書籍を提供する。【解決手段】一以上の本文ページ１０１と、本文ページ１０１よりもサイズが大きいページであって、本文ページ１０１と重ならない領域である拡張領域１０７に口絵１０２１〜１０２４が配置された一以上の口絵ページ１０２とを備えた書籍１である。口絵ページ１０２の口絵１０２１〜１０２４が本文ページ１０１に重ならないようにすることができ、本文ページ１０１を開いた状態であっても、口絵ページ１０２に配置された口絵１０２１〜１０２４を参照することができる。【選択図】図１
0003201589.tif 000002
【実用新案登録請求の範囲】
【請求項１】
一以上の本文ページと、
前記本文ページよりもサイズが大きいページであって、前記本文ページと重ならない領域に口絵が配置された一以上の口絵ページとを備えた書籍。
【請求項２】
前記口絵ページの、一以上の前記本文ページと重なる領域である拡張領域には、口絵が配置されていない請求項１記載の書籍。
【請求項３】
前記口絵ページの拡張領域は、無地の領域または模様が配置された領域である請求項２記載の書籍。
【請求項４】
前記口絵ページは、前記本文ページ以下のサイズとなるよう折り畳み可能である請求項１から請求項３いずれか一項記載の書籍。
【請求項５】
前記口絵ページは、前記本文ページよりも幅が広い部分である口絵配置部を有しており、
前記口絵配置部は、前記本文ページの略二ページ分の幅を有しており、本文ページと略同じサイズとなるよう、幅方向において二つ折り可能である請求項４記載の書籍。
【請求項６】
前記口絵配置部は、口絵が配置されている第一の面と、第一の面の裏面に位置する第二の面とを有しており、
前記口絵配置部は、前記第一の面が内側となるよう二つ折りされ、
前記口絵配置部の第二の面の、前記口絵配置部を二つ折りした際に、二つ折り前の第一の面と同じ側に配置される部分には、前記第一の面に配置されている口絵の少なくとも一部が示す情報と同じ情報が配置されている請求項５記載の書籍。
【請求項７】
前記口絵配置部の第二の面の、前記口絵配置部を二つ折りした際に、第一の面と同じ側に配置される部分には、前記口絵配置部の第一の面に配置されている全ての口絵が縮小配置されている請求項６記載の書籍。
【請求項８】
前記本文ページと略同じサイズを有し、一の前記口絵ページに連続するページであって、当該連続する口絵ページ側に口絵が配置されたページである追加口絵ページを更に備え、
前記追加口絵ページに連続した前記口絵ページは、二つ折りされた前記口絵配置部が前記追加口絵ページ側に折り畳まれ、
前記口絵ページの、追加口絵ページ側に折り畳まれた口絵配置部の、前記追加口絵ページ側に位置する部分には、前記追加口絵ページに配置されている口絵と連続する口絵が配置されている請求項５記載の書籍。
【考案の詳細な説明】
【技術分野】
【０００１】
本考案は、口絵のページを備えた書籍に関するものである。
【背景技術】
【０００２】
従来、本文用紙と、口絵用紙、及び表紙用紙を中綴じした本が知られていた（例えば、特許文献１参照）。
【先行技術文献】
【特許文献】
【０００３】
【特許文献１】特開２００５−１３５１号公報（第１頁、第１図等）
【考案の概要】
【考案が解決しようとする課題】
【０００４】
しかしながら、従来の書籍においては、本文のページを開いている際には、口絵のページが本文のページで隠れてしまい、口絵を参照しながら、本文を見ることができない、という課題があった。
【０００５】
本考案は、上記のような課題を解消するためになされたものであり、本文を見ながら口絵を参照することができる書籍を提供することを目的とする。
【課題を解決するための手段】
【０００６】
本考案の書籍は、一以上の本文ページと、本文ページよりもサイズが大きいページであって、本文ページと重ならない領域に口絵が配置された一以上の口絵ページとを備えた書籍である。
【０００７】
かかる構成により、本文を見ながら口絵を参照することができる。
【０００８】
また、本考案の書籍は、前記書籍において、口絵ページの、一以上の本文ページと重なる領域である拡張領域には、口絵が配置されていない書籍である。
【０００９】
かかる構成により、口絵ページの口絵が、本文ページに隠れないようにすることができ、口絵ページの全ての口絵を本文を見ながら参照することができる。
【００１０】
また、本考案の書籍は、前記書籍において、口絵ページの拡張領域は、無地の領域または模様が配置された領域である書籍である。
【００１１】
かかる構成により、口絵ページの本文ページで隠れる部分に、不要な情報を配置しないようにすることができる。これにより、例えば、口絵ページの本文ページで隠れる部分には参照すべき口絵がないことをユーザに直感的に理解させることができ、口絵ページの本文ページで隠れる部分に口絵がないかユーザが探さなくて良いようにすることができる。
【００１２】
また、本考案の書籍は、前記書籍において、口絵ページは、本文ページ以下のサイズとなるよう折り畳み可能である書籍である。
【００１３】
かかる構成により、口絵ページを折り畳んだ状態で、口絵ページが、本文ページからはみ出さないようにすることができる。
【００１４】
また、本考案の書籍は、前記書籍において、口絵ページは、本文ページよりも幅が広い部分である口絵配置部を有しており、口絵配置部は、本文ページの略二ページ分の幅を有しており、本文ページと略同じサイズとなるよう、幅方向において二つ折り可能である書籍である。
【００１５】
かかる構成により、口絵ページの口絵配置部を適宜折り曲げて利用することができる。
【００１６】
また、本考案の書籍は、前記書籍において、口絵配置部は、口絵が配置されている第一の面と、第一の面の裏面に位置する第二の面とを有しており、口絵配置部は、第一の面が内側となるよう二つ折りされ、口絵配置部の第二の面の、口絵配置部を二つ折りした際に、二つ折り前の第一の面と同じ側に配置される部分には、第一の面に配置されている口絵の少なくとも一部が示す情報と同じ情報が配置されている書籍である。
【００１７】
かかる構成により、口絵ページの口絵配置部を畳んだ状態であっても、畳まれた部分に配置された口絵の少なくとも一部の情報を参照することができる。
【００１８】
また、本考案の書籍は、前記書籍において、口絵配置部の第二の面の、口絵配置部を二つ折りした際に、第一の面と同じ側に配置される部分には、口絵配置部の第一の面に配置されている全ての口絵が縮小配置されている書籍である。
【００１９】
かかる構成により、口絵ページの口絵配置部を畳んだ状態であっても、畳まれた部分に配置された口絵の全てを参照することができる。
【００２０】
また、本考案の書籍は、前記書籍において、本文ページと略同じサイズを有し、一の口絵ページに連続するページであって、連続する口絵ページ側に口絵が配置されたページである追加口絵ページを更に備え、追加口絵ページに連続した口絵ページは、二つ折りされた口絵配置部が追加口絵ページ側に折り畳まれ、口絵ページの、追加口絵ページ側に折り畳まれた口絵配置部の、追加口絵ページ側に位置する部分には、追加口絵ページに配置されている口絵と連続する口絵が配置されている書籍である。
【００２１】
かかる構成により、口絵ページを畳んだ状態で、追加口絵ページとの組合わせにより、見開きの口絵を示すことができる。
【考案の効果】
【００２２】
本考案による書籍によれば、本文を見ながら口絵を参照することができる。
【図面の簡単な説明】
【００２３】
【図１】実施の形態１における書籍１の、口絵ページを開いた状態を示す斜視図（図１（ａ））、口絵ページを開いた状態の表紙側から見た斜視図（図１（ｂ））、及び本文ページを見開いた状態を示す斜視図（図１（ｃ））
【図２】同書籍の口絵配置部を二つ折りした例を示す図
【図３】同書籍の変形例を説明するための図
【考案を実施するための形態】
【００２４】
以下、書籍等の実施形態について図面を参照して説明する。なお、実施の形態において同じ符号を付した構成要素は同様の動作を行うので、再度の説明を省略する場合がある。
【００２５】
（実施の形態）
図１は、本実施の形態における書籍１の一例を説明するための、口絵ページを開いた状態の斜視図（図１（ａ））、口絵ページを開いた状態の表紙側から見た斜視図（図１（ｂ））及び口絵ページが折り畳まれていない状態において、本文ページを見開いた状態を示す斜視図（図１（ｃ））である。
【００２６】
書籍１は、一または二以上の本文ページ１０１、及び一または二以上の口絵ページ１０２を備えている。また、ここでは、一例として、書籍１は、表紙１１０を更に備えている場合を示している。ここでの書籍１は、雑誌等も含む概念である。書籍１は、本と考えてもよい。なお、書籍１は、図示しない遊び紙等の他のページ等を有していても良い。書籍１の綴じ方等は問わない。本文ページ１０１及び口絵ページ１０２は、通常、一の辺側で綴じられている。
【００２７】
表紙１１０は、例えば、書籍１を構成するページを結合して保護する覆いである。表紙の材質は問わない。表紙１１０は、書籍１を開く向きに置いた際に表側に位置する表表紙１１０ａと、その反対側に位置する裏表紙１１０ｂと、書籍１の綴じ込みのある側面側に位置する背表紙１１０ｃとを有している。ただし、書籍１の綴じ方によっては、背表紙１１０ｃを有していなくても良い。また、表紙１１０は省略しても良い。
【００２８】
本文ページ１０１は、例えば、書籍１の本文が配置されたページである。ここでは、書籍１が複数の本文ページ１０１を有している場合を例に挙げて示している。本文ページ１０１は、通常、モノクロ印刷されたコストが安価なページである。ただし、２〜３色の色を用いた多色刷りや、カラー印刷されたページであっても良い。ここでの本文は、テキストであっても良く、図表であってもよく、これらの組合わせであっても良い。また、ここでの本文ページ１０１は、とびらのページも含んでいてもよい。本文ページ１０１の材質やサイズ等は問わない。通常、複数の本文ページ１０１は、同じサイズを有している。複数の本文ページ１０１は、同じ材質や色を有するページであっても良く、異なる材質や色を有するページを含んでいても良い。なお、本文ページ１０１の材質は、通常は紙であるが、不織布や、フィルム等であっても良い。
【００２９】
口絵ページ１０２は、本文ページ１０１よりもサイズが大きいページであって、本文ページ１０１と重ならない領域に一または二以上の口絵が配置されたページである。口絵ページ１０２は、通常、２〜３色の色を用いた多色刷りや、カラー印刷されたコストが高いページであるが、モノクロ印刷されたページであってもよい。また、通常、口絵ページ１０２の材質としては、本文ページ１０１よりも厚さが厚い紙や、強度が高い紙が用いられる。本文ページ１０１と重ならない領域とは、口絵ページ１０２が後述するように折り畳み可能なものである場合、口絵ページ１０２が折り畳まれていない状態において、例えば、書籍１を閉じた場合や、本文ページ１０１を見開いた場合に、１以上の本文ページ１０１と重ならない領域である。１以上の本文ページ１０１と重ならないということは、１以上の本文ページ１０１が積み重ねられないということや、１以上の本文ページ１０１で覆われない、あるいは隠れないということと考えてもよい。口絵とは、書籍１の本文ページ１０１とは別のページに配置される図や写真である。ここでの図は、表や、図に添付される文字列等も含む概念である。口絵ページ１０２は、通常、書籍の巻頭（例えば、表表紙１１０ａと本文ページ１０１との間）または巻末（例えば、本文ページ１０１と裏表紙１１０ｂとの間）に配置される。ただし、本文ページ１０１中に設けられていても良い。また、複数の口絵ページ１０２が、異なる位置に配置されていてもよい。ここでは、一例として、書籍１が有する口絵ページ１０２が一ページであり、この口絵ページ１０２が、表表紙１１０ａと本文ページ１０１との間に設けられている場合を例に挙げて示している。なお、口絵ページ１０１の材質は、通常は紙であるが、不織布や、フィルム等であっても良い。
【００３０】
口絵ページ１０２の１以上の本文ページ１０１と重なる領域である拡張領域１０７には、１以上の口絵が配置されていてもよいが、本実施の形態においては口絵ページ１０２が配置されていないことが好ましい。拡張領域１０７とは、口絵ページ１０２が折り畳まれていない状態において、例えば、書籍１を閉じた場合や、本文ページ１０１を見開いた場合に、１以上の本文ページ１０１と重なる領域や、１以上の本文ページ１０１で覆われる、あるいは隠れる領域である。例えば、口絵ページ１０２の拡張領域１０７は、書籍１の内容と関係のない有用ではない情報が配置されているか、何らの情報も配置されていない領域であることが好ましい。例えば、口絵ページ１０２の拡張領域１０７は、図１に示すような無地のページ、または任意の模様、例えば幾何学パターン等が配置されたページであることが好ましい。拡張領域１０７が無地のページであることは、印刷コストを削減するうえで好ましい。
【００３１】
口絵ページ１０２は、例えば、高さが本文ページ１０１と略同一であり、本文ページ１０１よりも幅の広い部分を有している。高さが本文ページ１０１と略同一ということは、例えば、口絵ページ１０２の高さが、通常、本文ページ１０１よりも低く、その高さの差が、１０ｍｍ未満である場合等である。口絵ページ１０２の本文ページ１０１よりも幅の広い部分を、本実施の形態においては口絵配置部１０３と呼ぶ。上述した拡張領域１０７は、口絵配置部１０３を、本文ページ１０１と重ならない位置に配置するために、口絵ページ１０２を拡張するための領域と考えてもよい。口絵配置部１０３は、上述した本文ページ１０１と重ならない領域である。口絵配置部１０３は、口絵ページ１０２の、書籍１として綴じられている部分から、本文ページ１０１の一ページ分の間隔を隔てた部分と考えてもよい。例えば、口絵は、口絵ページ１０２の口絵配置部１０３に配置されている。例えば、口絵ページ１０２の口絵配置部１０３に、１以上の口絵１０２１〜口絵１０２４が配置されている。口絵配置部１０３のサイズは問わない。口絵配置部１０３は、例えば、本文ページ１０１の略ｋページ（ｋは、１以上の整数）分の幅を有していても良い。口絵配置部１０３が略ｋページ分の幅を有するということは、口絵配置部１０３が、ｋページ分の本文ページ１０１を横方向に連結した程度のサイズを有することと考えてもよい。略ｋページ分の幅とは、例えば、ｋページ分の幅との差が、２０ｍｍ以下である幅である。この幅の差は、例えば、口絵配置部１０３を、本文ページ１０１と同程度の幅を折り曲げの単位として、折り曲げられるようにするために発生する。口絵配置部１０３が略ｋページ分の幅を有するということは、口絵ページ１０２が、略Ｋページの幅を有するページであることと考えてもよい。図１においては、口絵ページ１０２の口絵配置部１０３が、本文ページ１０１の略二ページ分の幅を有している例を示している。
【００３２】
本実施の形態においては、図１（ｃ）に示すように、本文ページ１０１を見開いた状態であっても、口絵ページ１０２に配置された口絵、具体的には、口絵配置部１０３に配置された口絵を読者が見て参照することができるため、口絵を見るために、本文ページ１０１を一旦閉じて、口絵ページ１０２を開く必要がなく、書籍１を閲覧する際の利便性を向上させることができる。
【００３３】
口絵ページ１０２の口絵配置部１０３は、例えば、図１（ａ）及び図１（ｂ）に示すように、１以上の口絵が配置される第一の面１０４と、その裏面である第二の面１０５とを有している。口絵ページ１０２が書籍１の巻頭側に設けられている場合、第一の面１０４は、通常、折り畳まれていない状態の口絵ページ１０２の口絵配置部１０３における巻末側の面である。口絵ページ１０２が書籍１の巻末側に設けられている場合、第一の面１０４は、通常、折り畳まれていない状態の口絵ページ１０２の口絵配置部１０３における巻頭側の面である。口絵ページ１０２が複数の本文ページ中、即ち複数のページの間に設けられている場合、折り畳まれていない状態の口絵ページ１０２の口絵配置部１０３における巻末側と巻頭側とのいずれの面を第一の面１０４と考えてもよい。なお、第二の面１０５にも口絵や、口絵に相当する図や写真が配置されていても良い。
【００３４】
口絵ページ１０２は、例えば、本文ページ１０１以下のサイズとなるよう折り畳み可能であってもよい。口絵ページ１０２を折り畳み可能とすることで、口絵を参照する必要が場合にだけ、口絵ページ１０２を広げ、その他の時は、口絵ページを折り畳むことで、口絵ページの利便性を向上させることができるとともに、口絵ページを本文の閲覧をする際に邪魔にならないようにすることができる。
【００３５】
口絵ページ１０２には、例えば、予め折りたたみのため折り目が付いていても良い。口絵ページ１０２の折り畳み方は問わない。例えば、図１においては、口絵ページ１０２の口絵配置部１０３が、本文ページ１０１の略二ページ分の幅を有しており、口絵配置部１０３のサイズが本文ページ１０１と略同じサイズとなるよう、幅方向において二つ折り可能である場合を示している。また、ここでは、口絵配置部１０３の第一の面１０４が内側となるよう二つ折り可能である場合を示している。つまり、口絵配置部１０３の上述した第一の面１０４同士が合わさるよう二つ折り可能な場合について示している。また、例えば、図１においては、口絵ページ１０２の二つに折り畳んだ口絵配置部１０３が、拡張領域１０７に合わさるよう、折り畳み可能である場合を示している。例えば、図１においては、略二ページ分の幅を有する二つ折り可能な口絵配置部１０３の、折り目により分割される第一の面１０４のうちの、書籍１の綴じ込み側に近い部分である内側１０４ａには、口絵１０２１及び口絵１０２２が配置され、書籍１の綴じ込み側から遠い部分である外側１０４ｂには、口絵１０２３及び口絵１０２４が配置される。上記のように口絵配置部１０３の第一の面１０４が内側となるよう二つ折りするということは、例えば、口絵配置部１０３の第一の面の内側１０４ａと外側１０４ｂとが合わさるよう、口絵配置部１０３が二つ折りされることである。
【００３６】
図２は、本実施の形態における口絵ページ１０２の口絵配置部１０３を二つ折りした場合の例を示す図である。
【００３７】
口絵ページ１０２の口絵配置部１０３の第二の面１０５の、口絵配置部１０３を二つ折りした際に、二つ折り前の第一の面１０４と同じ側に配置される部分には、第一の面１０４に配置されている口絵１０２１〜口絵１０２４の少なくとも一部が示す情報と同じ情報が配置されているようにしてもよい。第一の面１０４に配置されている口絵１０２１〜口絵１０２４の少なくとも一部が示す情報と同じ情報とは、口絵１０２１〜口絵１０２４の少なくとも一部が示す情報と同じ情報を読者に伝達可能な情報であれば良く、例えば、第一の面１０４に配置されている口絵１０２１〜口絵１０２４の１以上と同じ口絵であっても良く、第一の面１０４に配置されている口絵１０２１〜口絵１０２４の１以上の色等を変更した口絵、例えば、カラー画像をグレースケール画像化した口絵であっても良い。また、第一の面１０４に配置されている口絵１０２１〜口絵１０２４の１以上を縮小や拡大した口絵や、トリミング等の加工を行なった口絵や、簡略化して表現した口絵や、口絵の一部を文章化した口絵であっても良い。例えば、口絵配置部１０３を二つ折りした際に、二つ折り前の第一の面１０４と同じ側に配置される部分に、第一の面１０４に配置されている口絵１０２１〜口絵１０２４の全てを、縮小配置されているようにしてもよい。
【００３８】
例えば、口絵配置部１０３の第二の面１０５の、口絵配置部１０３を二つ折りした際に、二つ折り前の第一の面１０４と同じ側に配置される部分とは、例えば、第二の面１０５の、書籍１の綴じ込み側から遠い部分である外側１０５ｂである。例えば、図１に示した口絵ページ１０２の口絵配置部１０３を、第一の面１０４が内側となるよう二つ折りした場合、図２に示すように、第二の面１０５の外側１０５ｂが、二つ折り前の第一の面１０４と同じ側に配置される部分となる。
【００３９】
本実施の形態においては、この第二の面１０５の外側１０５ｂに、例えば、口絵１０５０として、図１（ｂ）や図２に示すように、口絵配置部１０３の第一の面の内側１０４ａに配置されている全ての口絵１０２１〜口絵１０２４が縮小配置されている場合について示しているが、例えば、第二の面１０５の外側１０５ｂには、口絵配置部１０３の第一の面の内側１０４ａに配置されている口絵１０２１及び口絵１０２２が配置されていても良い。このような構成により、口絵ページ１０２の口絵配置部１０３の一部を折り畳んだ場合であっても、口絵配置部の第一の面に配置されていた口絵の少なくとも一部を参照することが可能となり、口絵ページ全体を広げる領域が十分確保できない場合等においても、口絵を適切に閲覧することが可能となる。
【００４０】
（変形例）
図３は、本実施の形態の書籍の変形例を説明するための、口絵ページ１０２の二つ折りした口絵配置部１０３を、口絵ページ１０２が綴じられている側に折り畳んだ状態の一例を示す図である。
【００４１】
この変形例は、上記実施の形態の書籍１において、一の口絵ページ１０２に連続するページであって、この連続する口絵ページ１０２側に口絵が配置された本文ページ１０１と略同じサイズを有するページである追加口絵ページ１０６を更に備えるようにしたものである。また、追加口絵ページ１０６に連続した一の口絵ページ１０２は、上述した二つ折りされた口絵配置部１０３が、連続する追加口絵ページ側に折り畳まれるようにし、この一の口絵ページ１０２の、追加口絵ページ１０６側に折り畳まれた口絵配置部１０３の、追加口絵ページ１０６側に位置する部分には、追加口絵ページ１０６に配置されている口絵と連続する口絵が配置されているようにしたものである。
【００４２】
一の口絵ページ１０２は、書籍１が有する１以上の口絵ページ１０２のどの口絵ページ１０２であっても良い。図３においては、図１と同様に、書籍１が口絵ページ１０２を１ページ有している例を示しているため、この口絵ページ１０２が、一の口絵ページ１０２である。一の口絵ページ１０２に連続するページとは、例えば、一の口絵ページに対してページ番号が連続するページである。一の口絵ページ１０２に連続するページとは、例えば、一の口絵ページ１０２の前後に配置されるページであり、一の口絵ページ１０２が、巻頭に配置される場合は、通常、この口絵ページ１０２の次のページであり、一の口絵ページ１０２が巻末に配置される場合は、通常、この口絵ページ１０２の前のページである。一の口絵ページが複数の本文ページ１０１の間に配置される場合、この口絵ページ１０２の前であっても後ろであっても良い。例えば、追加口絵ページ１０６が、一の口絵ページの後ろに配置される場合、口絵は追加口絵ページ１０６の巻頭側の面に配置され、追加口絵ページ１０６が、一の口絵ページの前に配置される場合、口絵は追加口絵ページ１０６の巻末側の面に配置される。図３においては、一の口絵ページ１０２が巻頭に設けられている場合を示しているため、追加口絵ページ１０６は、口絵ページ１０２の次のページとして配置されている。
【００４３】
例えば、図３に示すように、口絵ページ１０２の口絵配置部１０３は、本文ページ１０１の略二ページ分の幅を有しており、口絵配置部１０３の幅方向の中央で、第一の面１０４が内側となるように、二つ折りされ、更に二つ折りされた口絵配置部１０３全体が、口絵ページ１０２に連続する追加口絵ページ１０６側に折り畳まれる。ここで、追加口絵ページ１０６の口絵ページ１０２側の面１０６ａと、折り畳まれた口絵配置部１０３の追加口絵ページ１０６側に位置する部分には、連続する口絵が配置されている。折り畳まれた口絵配置部１０３の追加口絵ページ１０６側に位置する部分は、図３においては、口絵ページ１０２の口絵配置部１０３の第二の面１０５の、二つ折りにした際に綴じ込み側に位置する部分である内側１０５ａであり、追加口絵ページ１０６の口絵ページ１０２側の面１０６ａと、口絵配置部１０３の第二の面１０５の内側１０５ａとに、それぞれ連続する口絵１０６１及び口絵１０５１が配置されている。
【００４４】
連続する口絵とは、図３に示すように、口絵１０６１及び口絵１０５１のように、口絵を並べて見ることで一の画像や写真となる口絵であっても良く、参照される順番や、閲覧順番が連続している口絵であっても良い。追加口絵ページ１０６の口絵ページ１０２側の面１０６ａと、口絵配置部１０３の第二の面１０５の内側１０５ａとにそれぞれ配置される口絵は一つであっても複数であっても良い。
【００４５】
このような変形例においては、折り畳んだ状態の口絵ページと、連続する追加口絵ページとの連携によって、適切な口絵を示すことができる。
【００４６】
以上、本実施の形態によれば、本文を見ながら口絵を参照することができる書籍を提供することができる。
【００４７】
本考案は、以上の実施の形態に限定されることなく、種々の変更が可能であり、それらも本考案の範囲内に包含されるものであることは言うまでもない。
【産業上の利用可能性】
【００４８】
以上のように、本考案にかかる書籍は、口絵を有する書籍として適しており、特に、本文を見る際に参照する口絵を有する書籍等として有用である。
【符号の説明】
【００４９】
１  書籍
１０１  本文ページ
１０２  口絵ページ
１０３  口絵配置部
１０４  第一の面
１０４ａ  第一の面の内側
１０４ｂ  第一の面の外側
１０５  第二の面
１０５ａ  第二の面の内側
１０５ｂ  第二の面の外側
１０６  追加口絵ページ
１０７  拡張領域
１１０  表紙
１１０ａ  表表紙
１１０ｂ  裏表紙
１１０ｃ  背表紙
１０２１、１０２２、１０２３、１０２４、１０５０、１０５１、１０６１  口絵
【図１】
0003201589.tif 000003
【図２】
0003201589.tif 000004
【図３】
0003201589.tif 000005